(57)【要約】【課題】光ディスクの再生画像に含まれている肌色等を検出することで、露出度の多い画像を確実に視聴制限する。【解決手段】光ディスク１の管理情報の読み込み時に動画情報の読み込みを行うとともに、フレーム画像内の肌色の割合を検出する肌色検出部１７と、肌色検出部１７による肌色の検出割合が予め設定されている一定割合を超えた状態が、予め設定されている一定時間以上継続した場合には、肌色の検出割合が一定割合を超えた最初の位置アドレスと最後の位置アドレスとを記憶するＥＥＰＲＯＭ１１とを備え、光ディスク１の動画再生時、システムコントローラ１０は、ＥＥＰＲＯＭ１１に記憶されているアドレス情報に従って、肌色の検出割合が一定割合を超えているフレーム画像を飛ばして再生を継続する。【選択図】図１
2009094908.tif 000002
【特許請求の範囲】
【請求項１】
動画情報の記録された光ディスクの再生を制御する制御手段を備えた光ディスク装置において、
前記光ディスクの管理情報の読み込み時に前記動画情報の読み込みを行うとともに、フレーム画像内の肌色の割合を検出する肌色検出手段と、
前記肌色検出手段による肌色の検出割合が予め設定されている一定割合を超えた状態が、予め設定されている一定時間以上継続した場合には、肌色の検出割合が一定割合を超えた最初の位置アドレスと最後の位置アドレスとを記憶する記憶手段とを備え、
前記光ディスクの動画再生時、前記制御手段は、前記記憶手段に記憶されているアドレス情報に従って、肌色の検出割合が一定割合を超えているフレーム画像を飛ばして再生を継続することを特徴とする光ディスク装置。
【請求項２】
動画情報の記録された光ディスクの再生を制御する制御手段を有する光ディスク装置において、
前記動画情報の各フレーム画像内の肌色の割合を検出する肌色検出手段を備え、
前記光ディスクの動画再生時、前記制御手段は、前記肌色検出手段による肌色の検出割合が予め設定されている一定割合を超えた状態が、予め設定されている一定時間以上継続した場合には、画像の出力を禁止し、前記肌色検出手段による肌色の検出割合が予め設定されている一定割合以下になったときに画像の出力を再開することを特徴とする光ディスク装置。
【請求項３】
請求項１または請求項２に記載の光ディスク装置において、
前記一定割合がフレーム画像全体の３０％であることを特徴とする光ディスク装置。
【請求項４】
請求項３に記載の光ディスク装置において、
前記一定時間が３〜５秒の任意の時間であることを特徴とする光ディスク装置。
【請求項５】
請求項４に記載の光ディスク装置において、
前記一定割合及び／または前記一定時間をユーザが任意に設定変更可能な設定手段を備えていることを特徴とする光ディスク装置。
【請求項６】
動画情報の記録された光ディスクの再生を制御する制御手段を備えた光ディスク装置において、
前記光ディスクの管理情報の読み込み時に前記動画情報の読み込みを行うとともに、フレーム画像内のモザイク画像を検出するモザイク画像検出手段と、
前記モザイク画像検出手段によるモザイク画像の検出開始位置アドレスと検出終了位置アドレスとを記憶する記憶手段とを備え、
前記光ディスクの動画再生時、前記制御手段は、前記記憶手段に記憶されているアドレス情報に従って、モザイク画像を含むフレーム画像を飛ばして再生を継続することを特徴とする光ディスク装置。
【請求項７】
動画情報の記録された光ディスクの再生を制御する制御手段を有する光ディスク装置において、
前記動画情報の各フレーム画像内のモザイク画像を検出するモザイク画像検出手段を備え、
前記光ディスクの動画再生時、前記制御手段は、前記モザイク画像検出手段によりモザイク画像を検出した時点でその後の画像の出力を禁止し、前記モザイク画像検出手段によりモザイク画像が検出されなくなった時点でその後の画像の出力を再開することを特徴とする光ディスク装置。
【発明の詳細な説明】
【技術分野】
【０００１】
本発明は、光ディスクに記録された情報（特に、動画情報）を再生する光ディスク装置に関し、特に、視聴制限機能を備えた光ディスク装置に関する。
【背景技術】
【０００２】
近年、ＤＶＤ（Digital Versatile Disk）などの光ディスクが普及している。このＤＶＤには、デジタル圧縮された映像情報及び音声情報が記録されている。ところで、ＤＶＤに記録されている映画などには、露出の多いシーンなど、子供の教育上好ましくないシーンが含まれていることが多い。そこで、近年、このような教育上問題のあるシーンについては、その再生に対して何らかの視聴制限の規制が設けられている。このような規制をパレンタルと呼び、ＤＶＤなどの光ディスク には内容に応じて視聴制限を行うパレンタルレベルが予め設定されている。
【０００３】
一方、ＤＶＤなどの光ディスクの情報を再生する光ディスク装置では、光ディスクの情報の再生を制限するパレンタル機能を有し、ユーザにより設定された装置のパレンタルレベルがメモリに記憶されている。例えば、パレンタルレベルが低い方から順番に１，２，３，４，５，６，７，８の８レベルがあり、装置のパレンタルレベルが５に設定されている場合、光ディスクではパレンタルレベル５以下の情報が再生できるが、パレンタルレベル６，７，８の情報は再生することができないようになっている。
【０００４】
しかしながら、このような従来技術では、光ディスクに予め書き込まれているパレンタルレベルと装置側に設定されているパレンタルレベルとによってパレンタル機能（視聴制限機能）を実施しているので、パレンタル機能を実現するために、光ディスクへのパレンタルレベルの書き込みを行わなければならず、これにより、光ディスクへのパレンタルレベルの書き込み作業による光ディスクのコストアップを招くといった問題があった。また、装置側においては、パレンタルレベルが書き込まれていない光ディスクに対しては、視聴制限されないので、子供は勿論、誰でも自由に視聴することができるようになり、非常に問題となっていた。
【０００５】
そこで、光ディスクへのパレンタルレベルの書き込みを不要とするとともに、パレンタルレベルが書き込まれていない光ディスクであっても、視聴制限することができる機能を有する光ディスク装置が提案されている(例えば、特許文献1参照)。
【０００６】
この光ディスク装置は、有害語句情報とユーザの個人情報とをフラッシュＲＯＭに予め記憶している。そして、光ディスクに対する再生処理を開始し、光ディスクから読み出された音声情報に、有害語句情報に含まれる有害語句が有る場合は、フラッシュＲＯＭに記憶されている個人情報を持っていて視聴権限を有するユーザにのみ、有害語句の音声も再生可能にするシステムコントローラを備えた構成となっている。これにより、光ディスクへのパレンタルレベルの書き込み作業が不要になり、また、パレンタルレベルが書き込まれていない光ディスクであっても、視聴制限を行うことができるものである。
【０００７】
一方、インターネット等の分野でも、配信される特殊な画像の表示をフィルタリングする方法が提案されている（例えば、特許文献２参照）。
【０００８】
このフィルタリング方法は、データに画像データが含まれているかを判断し、画像データが含まれていると判断すると、画像データにおける予め選択した色の比率、予め選択した線分曲率の曲線の比率、予め選択したシンボルとの類似度を求め、これら求めた比率、類似度より画像が特殊な画像であるかどうかを判断し、画像が特殊な画像であると判断したとき、画像データの表示を保留するようになっている。すなわち、「特殊画像の可能性があります！表示しますか」のメッセージを表示し、キーボードから表示ｙｅｓのデータが入力されると、続いて「どうしても、表示しますか」のメッセージを再度表示し、キーボードから表示ｙｅｓのデータが再度入力されると、その画像データを表示するようになっている。
【特許文献１】特開２００５−８６４８３号公報
【特許文献２】特開２００１−３００８８号公報
【発明の開示】
【発明が解決しようとする課題】
【０００９】
上記特許文献１によれば、光ディスクから読み出された音声情報に、フラッシュＲＯＭに記憶されている有害語句が含まれている場合には、再生画像を視聴制限することが可能である。しかし、音声情報に有害語句が含まれていない画像データについては、視聴制限することができないといった問題があった。
【００１０】
また、上記特許文献２によれば、画像データにおける色の比率と、線分曲率の曲線比率と、シンボルの類似度とに基づいて特殊画像を判定することで、画像データの表示を保留することができる。しかし、特殊画像であることを判定するために、色の比率、線分曲率の曲線比率、シンボルの類似度という複雑な演算処理を行う必要があるため、インターネット上で配信されている静止画像のようなものには有効あっても、光ディスクの再生画像のような動画像には単純に適用することができないといった問題があった。
【００１１】
本発明はかかる実情に鑑みて創案されたもので、その目的は、光ディスクの再生画像に含まれている肌色等を検出することで、特殊画像を確実に視聴制限することのできる光ディスク装置を提供することにある。
【課題を解決するための手段】
【００１２】
上記課題を解決するため、本発明の光ディスク装置は、動画情報の記録された光ディスクの再生を制御する制御手段を備えた光ディスク装置において、前記光ディスクの管理情報の読み込み時に前記動画情報の読み込みを行うとともに、フレーム画像内の肌色の割合を検出する肌色検出手段と、前記肌色検出手段による肌色の検出割合が予め設定されている一定割合を超えた状態が、予め設定されている一定時間以上継続した場合には、肌色の検出割合が一定割合を超えた最初の位置アドレスと最後の位置アドレスとを記憶する記憶手段とを備え、前記光ディスクの動画再生時、前記制御手段は、前記記憶手段に記憶されているアドレス情報に従って、肌色の検出割合が一定割合を超えているフレーム画像を飛ばして再生を継続することを特徴としている。
【００１３】
このような構成によれば、光ディスクの管理情報の読み込み時に、続けて動画情報の読み込みを行い、フレーム画像内の肌色の割合を肌色検出手段で検出し、肌色の検出割合が予め設定されている一定割合（例えば、３０％等）を超えた状態が、予め設定されている一定時間（例えば、３〜５秒等）以上継続した場合には、肌色の検出割合が一定割合を超えた最初の位置アドレスと最後の位置アドレスとを記憶手段に記憶する。すなわち、光ディスクから再生された動画情報の中に、上記の条件（３０％以上の状態が３〜５秒以上継続するという条件）が複数箇所に存在する場合には、記憶手段には、その複数箇所のそれぞれにおいて、最初の位置アドレスと最後の位置アドレスとが記憶されることになる。
【００１４】
従って、光ディスクの動画再生時、制御手段は、記憶手段に記憶されているアドレス情報のみに従って、それぞれの箇所の最初の位置アドレスから最後の位置アドレスまでの間の画像を飛ばすように再生すればよい。これにより、露出の多いシーン等の教育上好ましくない箇所を確実に飛ばして再生することが可能となる。
【００１５】
また、本発明の光ディスク装置は、動画情報の記録された光ディスクの再生を制御する制御手段を有する光ディスク装置において、前記動画情報の各フレーム画像内の肌色の割合を検出する肌色検出手段を備え、前記光ディスクの動画再生時、前記制御手段は、前記肌色検出手段による肌色の検出割合が予め設定されている一定割合を超えた状態が、予め設定されている一定時間以上継続した場合には、画像の出力を禁止し、前記肌色検出手段による肌色の検出割合が予め設定されている一定割合以下になったときに画像の出力を再開することを特徴としている。すなわち、本発明の光ディスク装置と上記発明の光ディスク装置との違いは、上記発明の光ディスク装置が肌色検出を光ディスクの再生前に行っているのに対し、本発明の光ディスク装置では、肌色検出を動画情報の再生動作中に行っている点である。
【００１６】
すなわち、制御手段は、光ディスクの動画再生時、肌色検出手段による肌色の検出割合が予め設定されている一定割合（例えば、３０％）を超えた状態が、予め設定されている一定時間（例えば、３〜５秒等）以上継続した場合には、表示部への画像の出力を禁止（ミュート）し、肌色検出手段による肌色の検出割合が予め設定されている一定割合以下になったときに画像の出力を再開（ミュートを解除）する。これにより、光ディスクの再生時、露出の多いシーン等の教育上好ましくない箇所を確実に飛ばして再生することが可能となる。
【００１７】
また、本発明によれば、前記一定割合及び／または前記一定時間をユーザが任意に設定可能な設定手段を備えていてもよい。すなわち、視聴しているユーザによって、不必要な箇所まで飛ばされると判断した場合には、例えば一定割合を３０％から２０％に設定変更したり、一定時間をそれまでの５秒から３秒に設定変更したりすることで、ユーザの考えるレベルの不必要な画像のみを飛ばすことが可能となる。この場合、例えば、一定割合に下限と上限を決めておき、例えば、２０％、３０％、４０％、５０％、といった具合に４段階（すなわち、複数段階）で切り替え可能とし、一定時間についても同様に、例えば、２秒、３秒、４秒、５秒、６秒、といった具合に５段階（すなわち、複数段階）で切り替え可能としてもよい。
【００１８】
また、本発明の光ディスク装置は、動画情報の記録された光ディスクの再生を制御する制御手段を備えた光ディスク装置において、前記光ディスクの管理情報の読み込み時に前記動画情報の読み込みを行うとともに、フレーム画像内のモザイク画像を検出するモザイク画像検出手段と、前記モザイク画像検出手段によるモザイク画像の検出開始位置アドレスと検出終了位置アドレスとを記憶する記憶手段とを備え、前記光ディスクの動画再生時、前記制御手段は、前記記憶手段に記憶されているアドレス情報に従って、モザイク画像を含むフレーム画像を飛ばして再生を継続することを特徴としている。
【００１９】
このような構成によれば、光ディスクの管理情報の読み込み時に、続けて動画情報の読み込みを行い、フレーム画像内のモザイク画像をモザイク画像検出手段で検出し、モザイク画像の検出開始位置アドレスと検出終了位置アドレスとを記憶手段に記憶する。すなわち、光ディスクから再生された動画情報の中に、上記の条件（モザイク画像の箇所）が複数箇所存在する場合には、記憶手段には、その複数箇所のそれぞれにおいて、検出開始位置アドレスと検出終了位置アドレスとが記憶されることになる。
【００２０】
従って、光ディスクの動画再生時、制御手段は、記憶手段に記憶されているアドレス情報のみに従って、それぞれの箇所の検出開始位置アドレスから検出終了位置アドレスまでの間の画像を飛ばすように再生すればよい。これにより、露出の多いシーン等の教育上好ましくない箇所を確実に飛ばして再生することが可能となる。
【００２１】
また、本発明の光ディスク装置は、動画情報の記録された光ディスクの再生を制御する制御手段を有する光ディスク装置において、前記動画情報の各フレーム画像内のモザイク画像を検出するモザイク画像検出手段を備え、前記光ディスクの動画再生時、前記制御手段は、前記モザイク画像検出手段によりモザイク画像を検出した時点でその後の画像の出力を禁止し、前記モザイク画像検出手段によりモザイク画像が検出されなくなった時点でその後の画像の出力を再開することを特徴としている。すなわち、本発明の光ディスク装置と上記発明の光ディスク装置との違いは、上記発明の光ディスク装置がモザイク画像検出を光ディスクの再生前に行っているのに対し、本発明の光ディスク装置では、モザイク画像を動画情報の再生動作中に行っている点である。
【００２２】
すなわち、制御手段は、光ディスクの動画再生時、モザイク情報検出手段によりフレーム画像内にモザイク画像を検出した場合には、表示部への画像の出力を禁止（ミュート）し、モザイク画像検出手段によりモザイク画像が検出されなくなったときに画像の出力を再開（ミュートを解除）する。これにより、光ディスクの再生時、露出の多いシーン等の教育上好ましくない箇所を確実に飛ばして再生することが可能となる。
【発明の効果】
【００２３】
本発明によれば、光ディスクの動画再生時、記憶手段に記憶されている肌色の検出割合が一定割合を超えた画像の最初の位置アドレスと最後の位置アドレスとを示すアドレス情報に従って、それぞれの箇所の最初の位置アドレスから最後の位置アドレスまでの間の画像を飛ばして再生するように構成したので、露出の多いシーン等、教育上好ましくない箇所を確実に飛ばして再生することができる。
【００２４】
また、本発明によれば、光ディスクの動画再生時、肌色検出手段による肌色の検出割合が予め設定されている一定割合を一定時間以上超えた場合には、表示部への画像の出力を禁止するように構成したので、光ディスクの再生時、露出の多いシーン等、教育上好ましくない箇所を確実に飛ばして再生することができる。
【００２５】
また、本発明によれば、光ディスクの動画再生時、記憶手段に記憶されているモザイク画像の検出開始位置アドレスと検出終了位置アドレスとを示すアドレス情報に従って、それぞれの箇所の最初の位置アドレスから最後の位置アドレスまでの間の画像を飛ばして再生するように構成したので、露出の多いシーン等、教育上好ましくない箇所を確実に飛ばして再生することができる。
【００２６】
また、本発明によれば、光ディスクの動画再生時、モザイク画像検出手段によるモザイク画像の検出開始位置から検出終了位置までの画像の出力を禁止するように構成したので、光ディスクの再生時、露出の多いシーン等、教育上好ましくない箇所を確実に飛ばして再生することができる。
【発明を実施するための最良の形態】
【００２７】
以下、本発明の実施の形態について、図面を参照して説明する。
【００２８】
＜実施形態１＞
【００２９】
図１は、本発明の光ディスク装置をＤＶＤレコーダに適用した場合の実施形態１に係るシステム構成を示している。
【００３０】
すなわち、装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００３１】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、デジタルのテレビジョン放送信号を受信するチューナ回路（ＢＳチューナ，ＣＳチューナ等）１６が接続されている。さらに、デジタル信号処理回路７には、光ディスク1の再生時にフレーム画像内の肌色の割合を検出する肌色検出部１７が接続されており、肌色検出部１７の出力はシステムコントローラ１０に接続されている。
【００３２】
システムコントローラ１０には、光ディスク１のパラメータやレーザパワーのパラメータを初め、当該光ディスク１に割り振られたメーカー名等の固有情報や光ディスク１に書き込まれている管理情報を格納しておくためのＥＥＰＲＯＭ１１が双方向に接続されているとともに、リモコン送信機１８からの赤外線信号を受信する受信部１４と、装置本体前面に設けられたキー入力部１５とが接続されている。また、システムコントローラ１０には、装置本体前面に設けられたＬＣＤ等からなる表示パネル１３が接続されているとともに、各種の時間を計測するためのタイマー回路１９が接続されている。
【００３３】
デジタル信号処理回路７は、光ピックアップ３によって読み込まれたデータを処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、光ディスク１に書き込むためのデータ圧縮等の処理を行う。
【００３４】
システムコントローラ１０は、図示は省略しているがＣＰＵ、ＲＯＭ、ＲＡＭ等から構成されており、肌色検出部１７による肌色の検出割合が予め設定されている一定割合を超えた状態が、予め設定されている一定時間以上継続した場合には、肌色の検出割合が一定割合を超えた最初の位置アドレスと最後の位置アドレスとをＥＥＰＲＯＭ１１の所定の領域に記憶する処理を実行する。また、システムコントローラ１０は、光ディスク１の動画再生時、ＥＥＰＲＯＭ１１に記憶されているアドレス情報に従って、肌色の検出割合が一定割合を超えているフレーム画像を飛ばして光ディスク１の再生を継続する処理を実行するようになっている。このような処理を実行するためのプログラムはＲＯＭに予め格納されており、システムコントローラ１０は、処理の実行時にはＲＯＭから読み込んだプログラムをＲＡＭ上に展開して処理を実行する。
【００３５】
［実施例１］
【００３６】
次に、上記構成のＤＶＤレコーダにおいて、肌色検出によってＥＥＰＲＯＭ１１にアドレス情報を記憶する処理、及び記憶したアドレス情報に従って光ディスク１を再生する処理の実施例（実施例１）について、図２及び図３に示すフローチャートを参照して説明する。ただし、図２は、肌色検出によってＥＥＰＲＯＭ１１にアドレス情報を記憶する処理を説明するためのフローチャート、図３は、記憶したアドレス情報に従って光ディスク１を再生する処理を説明するためのフローチャートである。
【００３７】
（１）肌色検出によってＥＥＰＲＯＭ１１にアドレス情報を記憶する処理の説明
【００３８】
光ディスク１を本レコーダに装填すると、システムコントローラ１０は、光ディスク１の最内周部分に記録されている管理情報（いわゆるＴＯＣ情報）を読み込み（ステップＳ１）、引き続いて光ディスク１の記録領域に記録されている動画情報を読み込み（ステップＳ２）、デジタル信号処理回路７にて復調処理を行うとともに、この読み込み処理が終了したか否かを監視する（ステップＳ３）。このとき、肌色検出部１７によって、順次復調処理される動画情報の各フレーム画像内の肌色部分の割合を検出し（ステップＳ４）、その検出結果（すなわち、フレーム画像全体の中で肌色部分が占める割合）をシステムコントローラ１０に出力する。肌色部分の検出については、上記背景技術の欄で説明した特許文献２にも記載されているように、従来周知の技術であるので、ここでは検出処理についての詳細な説明を省略する。
【００３９】
システムコントローラ１０は、肌色検出部１７による肌色の検出割合が予め設定されている一定割合を超えたか否かを監視する（ステップＳ５）。ここで、一定割合は、例えば３０％に設定されている。そして、肌色の検出割合が一定割合を超えた場合（ステップＳ５でＹｅｓと判断された場合）には、その時点でタイマー回路１９を起動し、予め設定されている一定時間の計測を開始する（ステップＳ６）。ここで、一定時間は、例えば３〜５秒程度が適当であり、本実施形態では４秒に設定されている。そして、肌色の検出割合が一定割合（３０％）を超えている状態が、計測している一定時間（４秒）を超えたか否かを監視する（ステップＳ７）。
【００４０】
その結果、肌色の検出割合が一定割合を超えている状態が、計測している一定時間を超えた場合（ステップＳ７でＹｅｓと判断された場合）には、システムコントローラ１０は、肌色の検出割合が一定割合を超えた時点の（最初の）位置アドレス（検出開始位置アドレス）をＥＥＰＲＯＭ１１の所定の領域に記憶する（ステップＳ８）。この後、システムコントローラ１０は、タイマー回路１９による一定時間の計測を終了し、肌色検出部１７による肌色の検出割合が一定割合以下になったか否かを監視する（ステップＳ９）。そして、肌色の検出割合が一定割合以下になった場合には、一定割合以下になった時点の（最後の）位置アドレス（検出終了位置アドレス）をＥＥＰＲＯＭ１１の所定の領域に記憶する（ステップＳ１０）。
【００４１】
この後、ステップＳ３に戻り、動画情報の読み込みが最後まで終了したか否かを確認し、終了していない場合には、引き続きステップＳ４〜ステップＳ１０の処理を繰り返す。これにより、ＥＥＰＲＯＭ１１には、露出度の多い部分が複数箇所ある場合には、その複数箇所について、最初の位置アドレス（検出開始位置アドレス）と最後の位置アドレス（検出終了位置アドレス）とが順次記憶されることになる。
【００４２】
（２）記憶したアドレス情報に従って光ディスク１を再生する処理の説明
【００４３】
上記のようにしてＥＥＰＲＯＭ１１に検出開始位置アドレスと検出終了位置アドレスとが記憶されると、システムコントローラ１０は、光ディスク１に記録されている動画情報の再生を開始する（ステップＳ２１）。この再生は、ユーザがリモコン１８の図示しない再生ボタンを操作することにより実行する。
【００４４】
再生を開始すると、システムコントローラ１０は、光ディスク１の再生位置アドレスを常に確認し（ステップＳ２２）、再生位置アドレスがＥＥＰＲＯＭ１１に記憶されている検出開始位置アドレスと一致したか否かを監視する（ステップＳ２３）。そして、再生位置アドレスが検出開始位置アドレスに一致するところまで再生を行うと、次に、その検出開始位置開始アドレスと対になっている検出終了位置アドレスをＥＥＰＲＯＭ１１から読み出し、その検出終了位置アドレスを再生開始位置アドレスに設定して、その再生開始位置アドレスから再生を開始する（ステップＳ２４）。すなわち、ＥＥＰＲＯＭ１１に記憶されているアドレス情報に従って、肌色の検出割合が一定割合を超えている画像（すなわち、検出開始位置アドレスから検出終了位置アドレスまでの画像）を飛ばして再生を継続する。
【００４５】
システムコントローラ１０は、このような処理を、光ディスク１の動画再生を終了するまで繰り返す。これにより、露出度の多い部分の画像が複数箇所ある場合には、その複数箇所の画像が全て飛ばされて再生されることになる。
【００４６】
［実施例２］
【００４７】
上記実施例１は、肌色検出を光ディスク１の再生前に行う実施例であったが、本実施例２は、肌色検出を光ディスク１の再生動作中に並行して行う実施例である。以下、図４に示すフローチャートを参照して本実施例２の処理を説明する。
【００４８】
光ディスク１を本レコーダに装填すると、システムコントローラ１０は、光ディスク１の最内周部分に記録されている管理情報（いわゆるＴＯＣ情報）を読み込み（ステップＳ３１）、引き続いて光ディスク１の記録領域に記録されている動画情報の再生動作を開始する（ステップＳ３２）。
【００４９】
このとき、動画再生と並行して、肌色検出部１７により動画情報の各フレーム画像内の肌色部分の割合を検出し（ステップＳ３３）、その検出結果（すなわち、フレーム画像全体の中で肌色部分が占める割合）をシステムコントローラ１０に出力する。
【００５０】
システムコントローラ１０は、肌色検出部１７による肌色の検出割合が予め設定されている一定割合を超えたか否かを監視する（ステップＳ３４）。ここで、一定割合は、例えば３０％に設定されている。そして、肌色の検出割合が一定割合を超えた場合（ステップＳ３４でＹｅｓと判断された場合）には、その時点でタイマー回路１９を起動し、予め設定されている一定時間の計測を開始する（ステップＳ３５）。ここで、一定時間は、例えば３〜５秒程度が適当であり、本実施形態では３秒に設定されている。そして、肌色の検出割合が一定割合（３０％）を超えている状態が、計測している一定時間（３秒）を超えたか否かを監視する（ステップＳ３６）。
【００５１】
その結果、肌色の検出割合が一定割合を超えている状態が、計測している一定時間を超えた場合（ステップＳ３６でＹｅｓと判断された場合）には、システムコントローラ１０は、その時点で表示装置２１への再生画像の出力を禁止する（ステップＳ３７）。この後、システムコントローラ１０は、肌色検出部１７による肌色の検出割合が一定割合以下になったか否かを監視する（ステップＳ３８）。そして、肌色の検出割合が一定割合以下になった場合には、一定割合以下になった時点から表示装置２１への再生画像の出力を再開する（ステップＳ３９）。
【００５２】
この後、ステップＳ３３に戻り、光ディスク１の再生動作が終了するまで、引き続きステップＳ３３〜ステップＳ３９の処理を繰り返す。これにより、露出度の多い部分が複数箇所ある場合には、その複数箇所について、表示装置２１への再生画像の出力が禁止（ミュート）されることになる。
【００５３】
なお、上記実施例１，２では、一定割合及び一定時間が予め設定されているものとして説明しているが、この一定割合及び一定時間は、ユーザによって任意に設定変更可能な構成としてもよい。このように構成することで、視聴しているユーザによって、飛ばす必要のない箇所まで飛ばされてしまうと判断した場合には、例えば一定割合を３０％から２０％に設定変更したり、一定時間をそれまでの５秒から３秒に設定変更したりすることで、ユーザの考えるレベルの不必要な画像のみを飛ばすことが可能となる。この場合、例えば、一定割合に下限と上限を決めておき、例えば、２０％、３０％、４０％、５０％、といった具合に４段階で切り替え可能とし、一定時間についても同様に、例えば、２秒、３秒、４秒、５秒、６秒、といった具合に５段階で切り替え可能としてもよい。これらのデータは、例えばＥＥＰＲＯＭ１１の所定の領域に保存しておく。また、ユーザによる設定操作としては、例えばリモコン１８を操作して表示装置２１の画面にメニュー画面を表示し、そのメュー画面から設定変更画面を表示し、この設定変更画面によって一定割合や一定時間を設定変更できるようにすればよい。
【００５４】
＜実施形態２＞
【００５５】
図５は、本発明の光ディスク装置をＤＶＤレコーダに適用した場合の実施形態２に係るシステム構成を示している。
【００５６】
本実施形態２のＤＶＤレコーダと上記実施形態１のＤＶＤレコーダとの違いは、上記実施形態１のＤＶＤレコーダがフレーム画像の中の肌色部分を検出しているのに対し、本実施形態２のＤＶＤレコーダでは、フレーム画像に含まれているモザイク画像を検出している点である。そのため、本実施形態２のＤＶＤレコーダでは、肌色検出部１７の代わりにモザイク画像検出部２０を備えた構成となっている。その他の構成は、上記実施形態１のＤＶＤレコーダと同様であるので、ここでは同部材に同符号を付すこととし、詳細な説明を省略する。
【００５７】
［実施例３］
【００５８】
次に、上記構成のＤＶＤレコーダにおいて、モザイク画像検出によってＥＥＰＲＯＭ１１にアドレス情報を記憶する処理、及び記憶したアドレス情報に従って光ディスク１を再生する処理の実施例（実施例３）について、図６に示すフローチャートを参照して説明する。ただし、図６は、モザイク画像検出によってＥＥＰＲＯＭ１１にアドレス情報を記憶する処理を説明するためのフローチャート、なお、記憶したアドレス情報に従って光ディスク１を再生する処理動作は、上記実施形態１の場合と同じであるので、ここでは動画再生処理動作についての説明を省略する。
【００５９】
（１）モザイク画像検出によってＥＥＰＲＯＭ１１にアドレス情報を記憶する処理の説明
【００６０】
光ディスク１を本レコーダに装填すると、システムコントローラ１０は、光ディスク１の最内周部分に記録されている管理情報（いわゆるＴＯＣ情報）を読み込み（ステップＳ５１）、引き続いて光ディスク１の記録領域に記録されている動画情報を読み込み（ステップＳ５２）、デジタル信号処理回路７にて復調処理を行うとともに、この読み込み処理が終了したか否かを監視する（ステップＳ５３）。このとき、モザイク画像検出部２０は、順次復調処理される動画情報の各フレーム画像の中に含まれているモザイク画像の検出を開始し（ステップＳ５４）、フレーム画像の中にモザイク画像が含まれている場合には、モザイク画像の検出信号をシステムコントローラ１０に出力する。
【００６１】
システムコントローラ１０は、モザイク画像検出部２０からの検出信号の有無を監視し（ステップＳ５５）、検出信号を受信すると（ステップＳ５５でＹｅｓと判断されると）、受信した時点の再生位置アドレスを検出開始位置アドレスとしてＥＥＰＲＯＭ１１の所定の領域に記憶する（ステップＳ５６）。この後、システムコントローラ１０は、モザイク画像検出部２０からの検出信号の有無を引き続き監視し（ステップＳ５７）、モザイク画像検出部２０から検出信号が出力されなくなったとき（ステップＳ５７でＮｏと判断されたとき）、その時点の再生位置アドレスを検出終了位置アドレスとしてＥＥＰＲＯＭ１１の所定の領域に記憶する（ステップＳ５８）。
【００６２】
この後、ステップＳ５３に戻り、動画情報の読み込みが最後まで終了したか否かを確認し、終了していない場合には、引き続きステップＳ５４〜ステップＳ５８の処理を繰り返す。これにより、ＥＥＰＲＯＭ１１には、モザイク画像が含まれる部分が複数箇所ある場合には、その複数箇所について、検出開始位置アドレスと検出終了位置アドレスとが順次記憶されることになる。
【００６３】
なお、上記のように記憶したアドレス情報に従って光ディスク１を再生する処理動作は、上記したように実施形態１の場合と同じであるので、ここでは説明を省略する。
【００６４】
（実施例４）
【００６５】
上記実施例３は、モザイク画像検出を光ディスク１の再生前に行う実施例であったが、本実施例４は、モザイク画像検出を光ディスク１の再生動作中に並行して行う実施例である。以下、図７に示すフローチャートを参照して本実施例４の処理を説明する。
【００６６】
光ディスク１を本レコーダに装填すると、システムコントローラ１０は、光ディスク１の最内周部分に記録されている管理情報（いわゆるＴＯＣ情報）を読み込み（ステップＳ６１）、引き続いて光ディスク１の記録領域に記録されている動画情報の再生動作を開始する（ステップＳ６２）。
【００６７】
また、動画再生と並行して、モザイク画像検出部２０により動画情報の各フレーム画像に含まれているモザイク画像の検出を開始し（ステップＳ６３）、モザイク画像が含まれている場合には、検出信号をシステムコントローラ１０に出力する。
【００６８】
システムコントローラ１０は、モザイク画像検出部２０からの検出信号の有無を監視し（ステップＳ６４）、検出信号を受信すると（ステップＳ６４でＹｅｓと判断されると）、受信した時点から表示装置２１への再生画像の出力を禁止する（ステップＳ６５）。この後、システムコントローラ１０は、モザイク画像検出部２０からの検出信号の有無を引き続き監視する（ステップＳ６６）。そして、モザイク画像検出部２０からモザイク画像の検出信号が出力されなくなった場合（ステップＳ６６でＮｏと判断された場合）には、その時点から表示装置２１への再生画像の出力を再開する（ステップＳ６７）。
【００６９】
この後、ステップＳ６３に戻り、光ディスク１の再生動作が終了するまで、引き続きステップＳ６３〜ステップＳ６７の処理を繰り返す。これにより、モザイクが施された露出度の多い部分が複数箇所ある場合には、その複数箇所について、表示装置２１への再生画像の出力が禁止（ミュート）されることになる。
【００７０】
なお、本発明では、肌色検出を行う実施形態１と、モザイク画像検出を行う実施形態２とに区別して説明しているが、肌色検出とモザイク画像検出の両方を同時に実施し、その両方の検出結果に基づいて再生画像を飛ばす（若しくはミュートする）ように構成してもよい。すなわち、肌色を検出した場合も、モザイク画像を検出した場合も再生画像を飛ばす（若しくはミュートする）ようにすればよい。この場合、検出タイミングが重複する可能性があるが、重複した場合には、両方のアドレス情報からより長い期間を選択して再生画像を飛ばす（若しくはミュートする）ようにすればよい。これにより、肌色検出では確認できなかったがモザイク画像が含まれている場合や、モザイク画像は含まれていないが肌色検出によって露出度が高いことが確認された画像などを確実に飛ばす（若しくはミュートする）ことができる。
【図面の簡単な説明】
【００７１】
【図１】本発明の光ディスク装置をＤＶＤレコーダに適用した場合の実施形態１に係るシステム構成図である。
【図２】肌色検出によってＥＥＰＲＯＭにアドレス情報を記憶する処理を説明するためのフローチャートである。
【図３】記憶したアドレス情報に従って光ディスクを再生する処理を説明するためのフローチャートである。
【図４】肌色検出を光ディスクの再生動作中に並行して行う処理を説明するためのフローチャートである。
【図５】本発明の光ディスク装置をＤＶＤレコーダに適用した場合の実施形態２に係るシステム構成図である。
【図６】モザイク画像検出によってＥＥＰＲＯＭにアドレス情報を記憶する処理を説明するためのフローチャートである。
【図７】モザイク画像検出を光ディスクの再生動作中に並行して行う処理を説明するためのフローチャートである。
【符号の説明】
【００７２】
１  光ディスク
２  スピンドルモータ
３  光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（記憶手段）
１２  Ｄ／Ａ変換回路
１３  表示パネル
１４  受信部
１５  キー入力部
１６  チューナ回路
１７  肌色検出部
１８  リモコン送信機
１９  タイマー回路
２０  モザイク画像検出部
２１  表示装置
【図１】
2009094908.tif 000003
【図２】
2009094908.tif 000004
【図３】
2009094908.tif 000005
【図４】
2009094908.tif 000006
【図５】
2009094908.tif 000007
【図６】
2009094908.tif 000008
【図７】
2009094908.tif 000009